(57)【要約】【課題】表示部の任意の箇所に表示されている画像を容易に選択することができる画像表示装置を提供する。【解決手段】可撓性を有する基板１０１と、基板１０１の上方に設けられ、一又は複数の画像２０１ａ〜２０１ｆを表示する表示部１０２と、基板１０１が曲げ変形されることにより、基板１０１の一部が基準面に対して変位したことを検出する検出部１０３と、検出部１０３により検出された基板１０１の変位に基づいて、基準面に対して変位した基板１０１の変位領域３０２を算出する演算処理部と、表示部１０２に表示されている一又は複数の画像２０１ａ〜２０１ｆのうち、変位領域３０２に最も近い画像２０１ｃを選択する表示制御部と、を備える。【選択図】図６
2013242437.tif 000002
【特許請求の範囲】
【請求項１】
可撓性を有する基板と、
前記基板の上方に設けられ、一又は複数の画像を表示する表示部と、
前記基板が曲げ変形されることにより、前記基板の一部が基準面に対して変位したことを検出する検出部と、
前記検出部により検出された前記基板の変位に基づいて、前記基準面に対して変位した前記基板の変位領域を算出する演算処理部と、
前記表示部に表示されている前記一又は複数の画像のうち、前記変位領域に最も近い前記画像を選択する表示制御部と、を備える
画像表示装置。
【請求項２】
前記演算処理部は、前記基板の前記変位領域を算出する際に、前記基準面と前記基板の前記変位領域との境界線を示す基準軸を算出し、
前記表示制御部は、前記表示部に表示されている前記一又は複数の画像のうち、前記基準軸に最も近い前記画像を選択する
請求項１に記載の画像表示装置。
【請求項３】
前記演算処理部は、前記基板の前記変位領域を算出する際に、前記基板の前記変位領域の内部における最大曲げ変形を示す線である基準軸を算出し、
前記表示制御部は、前記表示部に表示されている前記一又は複数の画像のうち、前記基準軸に最も近い前記画像を選択する
請求項１に記載の画像表示装置。
【請求項４】
前記表示制御部は、前記表示部に表示されている前記一又は複数の画像のうち、前記基準面上に存在し且つ前記変位領域に最も近い前記画像を選択する
請求項１〜３のいずれか１項に記載の画像表示装置。
【請求項５】
前記検出部は、前記表示部の周縁に設けられている
請求項１〜４のいずれか１項に記載の画像表示装置。
【請求項６】
前記検出部は、前記表示部の下方に設けられている
請求項１〜４のいずれか１項に記載の画像表示装置。
【請求項７】
前記表示制御部は、選択された前記画像を拡大又は縮小する
請求項１〜６のいずれか１項に記載の画像表示装置。
【請求項８】
前記表示制御部は、前記検出部によって検出された前記基板の変位の程度に基づいて、選択された前記画像の拡大率又は縮小率を決定する
請求項７に記載の画像表示装置。
【発明の詳細な説明】
【技術分野】
【０００１】
本発明は、画像を表示する画像表示装置に関し、より具体的には、例えば電子ペーパー及び有機ＥＬ（Ｅｌｅｃｔｒｏ  Ｌｕｍｉｎｅｓｃｅｎｃｅ）ディスプレイ等のフレキシブルディスプレイである画像表示装置に関する。
【背景技術】
【０００２】
従来より、例えば電子ペーパー及び有機ＥＬディスプレイ等のフレキシブルディスプレイである画像表示装置が知られている。この画像表示装置は、可撓性を有し、且つ、画像が表示されるディスプレイを備えている（例えば、特許文献１参照）。ユーザがディスプレイを曲げ変形させることにより、ディスプレイに表示されている画像を拡大又は縮小することができる。例えば、ディスプレイの表面側が凸となるようにディスプレイを曲げ変形させた場合には、ディスプレイに表示されている画像が拡大される。また、ディスプレイの表面側が凹となるようにディスプレイを曲げ変形させた場合には、ディスプレイに表示されている画像が縮小される。
【先行技術文献】
【特許文献】
【０００３】
【特許文献１】特開２００９−８６４０３号公報
【発明の概要】
【発明が解決しようとする課題】
【０００４】
しかしながら、上述した従来の画像表示装置では、ディスプレイ上の任意の箇所に表示されている画像を拡大又は縮小することができず、利便性が低いという問題がある。
【０００５】
本発明は、上記の課題を解決するものであり、その目的は、表示部の任意の箇所に表示されている画像を容易に選択することができる画像表示装置を提供することである。
【課題を解決するための手段】
【０００６】
上記目的を達成するために、本発明の一形態に係る画像表示装置は、可撓性を有する基板と、前記基板の上方に設けられ、一又は複数の画像を表示する表示部と、前記基板が曲げ変形されることにより、前記基板の一部が基準面に対して変位したことを検出する検出部と、前記検出部により検出された前記基板の変位に基づいて、前記基準面に対して変位した前記基板の変位領域を算出する演算処理部と、前記表示部に表示されている前記一又は複数の画像のうち、前記変位領域に最も近い前記画像を選択する表示制御部と、を備える。
【０００７】
なお、これらの全般的又は具体的な態様は、システム、方法、集積回路、コンピュータプログラム又はコンピュータ読み取り可能なＣＤ−ＲＯＭ等の記録媒体で実現されてもよく、システム、方法、集積回路、コンピュータプログラム及び記録媒体の任意な組み合わせで実現されてもよい。
【発明の効果】
【０００８】
本発明の画像表示装置では、表示制御部は、表示部に表示されている一又は複数の画像のうち、変位領域に最も近い画像を選択するので、表示部の任意の箇所に表示されている画像を容易に選択することができる。
【図面の簡単な説明】
【０００９】
【図１】本発明の実施の形態１に係る画像表示装置を示す斜視図である。
【図２】図１の画像表示装置を示す平面図である。
【図３】図２におけるＡ−Ａ線により切断した画像表示装置を示す断面図である。
【図４】図１の画像表示装置の制御系を示すブロック図である。
【図５】図１の画像表示装置による制御の流れを示すフローチャートである。
【図６】１個の画像を選択する場合における画像表示装置を示す平面図である。
【図７Ａ】基板が曲げ変形された状態での画像表示装置を示す側面図である。
【図７Ｂ】図７Ａの画像表示装置を模式的に示す側面図である。
【図７Ｃ】図７Ａの画像表示装置を模式的に示す側面図である。
【図８Ａ】選択された画像が拡大された状態での画像表示装置を示す平面図である。
【図８Ｂ】選択された画像が縮小された状態での画像表示装置を示す平面図である。
【図９】複数個の画像を選択する場合における画像表示装置を示す平面図である。
【図１０】本発明の実施の形態２に係る画像表示装置を示す平面図である。
【図１１】図１０におけるＢ−Ｂ線により切断した画像表示装置を示す断面図である。
【図１２】本発明の実施の形態２の変形例に係る画像表示装置を示す断面図である。
【図１３】本発明の実施の形態３に係る画像表示装置を示す平面図である。
【図１４】図１３におけるＣ−Ｃ線により切断した画像表示装置を示す断面図である。
【図１５】本発明の実施の形態４に係る画像表示装置を模式的に示す側面図である。
【発明を実施するための形態】
【００１０】
（本発明の基礎となった知見）
本発明者は、「背景技術」の欄において記載した画像表示装置に関し、以下の問題が生じることを見出した。
【００１１】
特許文献１に開示された画像表示装置は、基板、表示部、曲げ変形検出部及び表示制御部を備えている。
【００１２】
基板は可撓性を有し、基板上には表示部が設けられている。表示部には、例えば複数の画像が表示される。曲げ変形検出部は、基板上に設けられており、基板の曲げ変形を検出する。表示制御部は、曲げ変形検出部により検出された基板の曲げ変形に基づいて、表示部に表示されている画像を拡大又は縮小する。
【００１３】
例えば、基板の表面側が凸となるように基板を曲げ変形させた場合には、表示部に表示されている画像が拡大される。また、基板の表面側が凹となるように基板を曲げ変形させた場合には、表示部に表示されている画像が縮小される。
【００１４】
しかしながら、上述した画像表示装置では、例えば表示部に複数の画像が表示されている場合に、任意の画像を拡大又は縮小することができない。そのため、ユーザが所望していない画像が拡大又は縮小されてしまうおそれがあり、利便性が低いという問題がある。
【００１５】
このような問題を解決するために、本発明の一態様に係る画像表示装置は、可撓性を有する基板と、前記基板の上方に設けられ、一又は複数の画像を表示する表示部と、前記基板が曲げ変形されることにより、前記基板の一部が基準面に対して変位したことを検出する検出部と、前記検出部により検出された前記基板の変位に基づいて、前記基準面に対して変位した前記基板の変位領域を算出する演算処理部と、前記表示部に表示されている前記一又は複数の画像のうち、前記変位領域に最も近い前記画像を選択する表示制御部と、を備える。
【００１６】
本態様によれば、表示制御部は、表示部に表示されている一又は複数の画像のうち、変位領域に最も近い画像を選択するので、表示部の任意の箇所に表示されている画像を容易に選択することができる。
【００１７】
例えば、本発明の一態様に係る画像表示装置において、前記演算処理部は、前記基板の前記変位領域を算出する際に、前記基準面と前記基板の前記変位領域との境界線を示す基準軸を算出し、前記表示制御部は、前記表示部に表示されている前記一又は複数の画像のうち、前記基準軸に最も近い前記画像を選択するように構成してもよい。
【００１８】
本態様によれば、表示制御部は、演算処理部により算出された基準軸を用いることにより、変位領域に最も近い画像を容易に選択することができる。
【００１９】
例えば、本発明の一態様に係る画像表示装置において、前記演算処理部は、前記基板の前記変位領域を算出する際に、前記基板の前記変位領域の内部における最大曲げ変形を示す線である基準軸を算出し、前記表示制御部は、前記表示部に表示されている前記一又は複数の画像のうち、前記基準軸に最も近い前記画像を選択するように構成してもよい。
【００２０】
本態様によれば、表示制御部は、演算処理部により算出された基準軸を用いることにより、変位領域に最も近い画像を容易に選択することができる。
【００２１】
例えば、本発明の一態様に係る画像表示装置において、前記表示制御部は、前記表示部に表示されている前記一又は複数の画像のうち、前記基準面上に存在し且つ前記変位領域に最も近い前記画像を選択するように構成してもよい。
【００２２】
本態様によれば、表示制御部は、表示部に表示されている一又は複数の画像のうち、基準面上に存在し且つ変位領域に最も近い画像を選択することができる。
【００２３】
例えば、本発明の一態様に係る画像表示装置において、前記検出部は、前記表示部の周縁に設けられているように構成してもよい。
【００２４】
本態様によれば、検出部を表示部の周縁に設けることができる。
【００２５】
例えば、本発明の一態様に係る画像表示装置において、前記検出部は、前記表示部の下方に設けられているように構成してもよい。
【００２６】
本態様によれば、検出部を表示部の下方に設けることができる。
【００２７】
例えば、本発明の一態様に係る画像表示装置において、前記表示制御部は、選択された前記画像を拡大又は縮小するように構成してもよい。
【００２８】
本態様によれば、表示制御部は、選択された画像を拡大又は縮小することができる。即ち、基板を曲げ変形させるという一つの入力動作によって、表示部の任意の箇所に表示されている画像を選択し、且つ、当該画像を拡大又は縮小させるという出力結果を得ることができる。
【００２９】
例えば、本発明の一態様に係る画像表示装置において、前記表示制御部は、前記検出部によって検出された前記基板の変位の程度に基づいて、選択された前記画像の拡大率又は縮小率を決定するように構成してもよい。
【００３０】
本態様によれば、ユーザは、基板を曲げ変形させた際の基板の変位の程度を調節することにより、選択された画像の拡大率又は縮小率を調節することができる。
【００３１】
なお、これらの全般的又は具体的な態様は、システム、方法、集積回路、コンピュータプログラム又はコンピュータ読み取り可能なＣＤ−ＲＯＭ等の記録媒体で実現されてもよく、システム、方法、集積回路、コンピュータプログラム又は記録媒体の任意な組み合わせで実現されてもよい。
【００３２】
（実施の形態）
以下、本発明の実施の形態に係る画像表示装置について、図面を参照しながら説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００３３】
（実施の形態１）
図１は、本発明の実施の形態１に係る画像表示装置を示す斜視図である。図２は、図１の画像表示装置を示す平面図である。図３は、図２におけるＡ−Ａ線により切断した画像表示装置を示す断面図である。図４は、図１の画像表示装置の制御系を示すブロック図である。
【００３４】
図示の画像表示装置１０は、基板１０１、表示部１０２、検出部１０３及び制御部１０４を備えている。画像表示装置１０は、例えば、電子ペーパー及び有機ＥＬディスプレイ等のフレキシブルディスプレイである。
【００３５】
基板１０１は、可撓性を有し、且つ、シート状に構成されている。
【００３６】
表示部１０２は、可撓性を有し、且つ、シート状に構成されている。表示部１０２は、基板１０１の表面（即ち、基板１０１の上方）に設けられている。表示部１０２には、例えば、複数の画像２０１が表示される。図１の（ａ）に示すように、ユーザが基板１０１に外力を加えていない状態では、基板１０１及び表示部１０２は、平面状に保持される。図１の（ｂ）に示すように、ユーザが基板１０１に外力を加えることにより、基板１０１及び表示部１０２は、一体的に曲げ変形される。基板１０１が曲げ変形されることにより、基板１０１の一部が基準面３０１（図７Ａ参照）に対して変位する。なお、曲げ変形とは、例えば、湾曲及び屈曲等の変形をいう。基準面３０１とは、基板１０１が曲げ変形される前の状態において、基板１０１によって規定される平面又は曲面をいう。
【００３７】
検出部１０３は、基板１０１の表面に、且つ、表示部１０２の周縁に設けられている。この検出部１０３は、基板１０１の一部が基準面３０１に対して変位したことを検出する。検出部１０３は、曲げ変形検出部１０５及び座標変化検出部１０６を有している。
【００３８】
曲げ変形検出部１０５は、図２に示すように、基板１０１の４つの辺の各々に沿って複数設けられている。例えば、基板１０１の形状が長方形である場合には、基板１０１の長辺に沿って５個の曲げ変形検出部１０５が間隔を置いて配置され、基板１０１の短辺に沿って４個の曲げ変形検出部１０５が間隔を置いて配置される。なお、図２では、説明の都合上、複数の曲げ変形検出部１０５を透過させた状態で図示している。
【００３９】
曲げ変形検出部１０５は、例えば、機械（歪み）−電気変換作用を利用したひずみゲージであり、抵抗変化検出部１０５’を有している。抵抗変化検出部１０５’は、銅ニッケル合金等の金属抵抗箔又は金属抵抗線で構成され、所定方向（即ち、基板１０１の一辺に対して略平行な方向）に複数回折り返された形状を有している。
【００４０】
基板１０１が曲げ変形された際には、抵抗変化検出部１０５’には、基板１０１に生じたひずみが伝達される。これにより、抵抗変化検出部１０５’が伸長又は収縮され、抵抗変化検出部１０５’の抵抗値が変化する。この抵抗値の変化によって、抵抗変化検出部１０５’に印加された電圧が変化する。曲げ変形検出部１０５は、この電圧の変化に基づいて、基板１０１の曲げ変形及びその大きさを検出することができる。
【００４１】
座標変化検出部１０６は、基板１０１の四隅の近傍にそれぞれ１個ずつ設けられている。座標変化検出部１０６は、例えば、加速度センサである。この座標変化検出部１０６は、基準面３０１に対する基板１０１の変位の方向（即ち、ユーザが表示部１０２に面している状態で、ユーザに対して手前方向又は奥方向）及び変位の大きさを検出する。
【００４２】
制御部１０４は、検出部１０３からの検出結果に基づいて、表示部１０２に表示された画像２０１を制御する。制御部１０４は、演算処理部１０７及び表示制御部１０８を有している。
【００４３】
演算処理部１０７は、曲げ変形検出部１０５及び座標変化検出部１０６からの検出結果に基づいて、基準面３０１から変位した基板１０１の変位領域３０２（図６参照）を算出する。
【００４４】
表示制御部１０８は、表示部１０２に表示されている複数の画像２０１のうち、基準面３０１上に存在し且つ基板１０１の変位領域３０２に最も近い画像２０１を選択する。さらに、表示制御部１０８は、座標変化検出部１０６からの検出結果に基づいて、選択された画像２０１を拡大又は縮小する。本実施の形態では、基板１０１の一部が基準面３０１に対して第１の方向（即ち、ユーザに対して奥方向）に変位された場合には、表示制御部１０８は、座標変化検出部１０６からの検出結果に基づいて、選択された画像２０１を拡大する。基板１０１の一部が基準面３０１に対して第２の方向（即ち、ユーザに対して手前方向）に変位された場合には、表示制御部１０８は、座標変化検出部１０６からの検出結果に基づいて、選択された画像２０１を縮小する。
【００４５】
次に、本実施の形態の画像表示装置１０による制御の流れについて説明する。図５は、図１の画像表示装置による制御の流れを示すフローチャートである。図６は、１個の画像を選択する場合における画像表示装置を示す平面図である。図７Ａは、基板が曲げ変形された状態での画像表示装置を示す側面図である。図７Ｂ及び図７Ｃはそれぞれ、図７Ａの画像表示装置を模式的に示す側面図である。図８Ａは、選択された画像が拡大された状態での画像表示装置を示す平面図である。図８Ｂは、選択された画像が縮小された状態での画像表示装置を示す平面図である。図９は、複数個の画像を選択する場合における画像表示装置を示す平面図である。
【００４６】
図６に示すように、表示部１０２には、複数の画像２０１ａ〜２０１ｆが表示されている（Ｓ１）。この状態で、図７Ａに示すように、例えばユーザが基板１０１を第１の方向に曲げ変形させる。これにより、基板１０１の一部は、基準面３０１に対して第１の方向に変位される。上述したように、複数の曲げ変形検出部１０５の各々は、基板１０１の曲げ変形の大きさを検出する（Ｓ２でＹＥＳ）。また、複数の座標変化検出部１０６ａ〜１０６ｄ（図６参照）のうち、基板１０１の変位領域３０２に対応する座標変化検出部１０６ｂ，１０６ｃの各々は、基板１０１の変位領域３０２が基準面３０１に対して変位した方向（即ち、第１の方向）を検出する。
【００４７】
演算処理部１０７は、複数の曲げ変形検出部１０５からの検出結果に基づいて、基準軸３０３を算出する（Ｓ３）。なお、基準軸３０３とは、本実施の形態では、基板１０１の変位領域３０２の内部における最大曲げ変形を示す線をいう。
【００４８】
ここで、演算処理部１０７による基準軸３０３の算出方法について説明する。まず、図７Ａに示すように、基板１０１が曲げ変形されることにより、基板１０１の一部が基準面３０１に対して第１の方向に変位する。演算処理部１０７は、基板１０１の４つの辺の各々に対応する複数の曲げ変形検出部１０５のうち、検出された基板１０１の曲げ変形の大きさが最も大きい曲げ変形検出部１０５を選択する。例えば、図７Ｂに示すように、基板１０１の一辺に対応して５つの曲げ変形検出部１０５ａ〜１０５ｅが設けられている場合において、中央の曲げ変形検出部１０５ｃにより検出された基板１０１の曲げ変形の大きさが最も大きいときには、演算処理部１０７は、当該曲げ変形検出部１０５ｃを選択する。その後、演算処理部１０７は、基板１０１の４つの辺の各々について選択した４つの曲げ変形検出部１０５の中から、検出された基板１０１の曲げ変形の大きさがより大きい曲げ変形検出部１０５を２つ選択する。演算処理部１０７は、図６に示すように、選択された２つの曲げ変形検出部１０５の配置箇所をそれぞれ曲げ変形点Ｐ１，Ｐ２として決定する。その後、演算処理部１０７は、決定された２つの曲げ変形点Ｐ１，Ｐ２を通る直線を基準軸３０３として算出する。
【００４９】
なお、例えば、図７Ｃに示すように、基板１０１の一辺に対応して４つの曲げ変形検出部１０５ａ〜１０５ｄが設けられている場合において、内側の２つの曲げ変形検出部１０５ｂ，１０５ｃにより検出された基板１０１の曲げ変形の大きさが同じ大きさであり且つ最も大きいときには、演算処理部１０７は、当該２つの曲げ変形検出部１０５ｂ，１０５ｃを選択する。この場合には、演算処理部１０７は、２つの曲げ変形検出部１０５ｂ，１０５ｃの中間点を曲げ変形点Ｐ１，Ｐ２として決定する。
【００５０】
図６に示すように、基板１０１は、上述した基準軸３０３によって２つの領域、即ち、変位領域３０２及び非変位領域３０４に区画される。変位領域３０２は、基準面３０１に対して基板１０１が変位した領域であり、図６において斜線を施した部分の領域である。非変位領域３０４は、基準面３０１に対する基板１０１の変位がほぼ零である領域であり、図６において斜線を施していない部分の領域である。複数の座標変化検出部１０６ａ〜１０６ｄのうち、変位領域３０２に対応する座標変化検出部１０６ｂ，１０６ｃにより基板１０１の変位が検出される。演算処理部１０７は、座標変化検出部１０６ｂ，１０６ｃからの検出結果に基づいて、変位領域３０２を算出する。また、複数の座標変化検出部１０６ａ〜１０６ｄのうち、非変位領域３０４に対応する座標変化検出部１０６ａ，１０６ｄにより検出される基板１０１の変位の大きさはほぼ零である。演算処理部１０７は、座標変化検出部１０６ａ，１０６ｄからの検出結果に基づいて、非変位領域３０４を算出する。
【００５１】
表示制御部１０８は、演算処理部１０７により算出された非変位領域３０４を特定する（Ｓ４）。その後、表示制御部１０８は、表示部１０２に表示されている複数の画像２０１ａ〜２０１ｆのうち、非変位領域３０４上（即ち、基準面３０１上）に存在する画像２０１ａ，２０１ｃと基準軸３０３との距離を算出する。表示制御部１０８は、このように算出した距離に基づいて、非変位領域３０４上に存在し且つ基準軸３０３に最も近い（即ち、基板１０１の変位領域３０２に最も近い）画像２０１ｃを選択する（Ｓ５）。
【００５２】
なお、非変位領域３０４上に存在する画像２０１とは、非変位領域３０４内に全領域が含まれる画像２０１をいう。そのため、表示制御部１０８は、非変位領域３０４内に一部の領域のみが含まれる画像２０１ｂ，２０１ｅを選択候補から除外する。
【００５３】
基板１０１が第１の方向に曲げ変形されていることにより（Ｓ６でＹＥＳ）、表示制御部１０８は、図８Ａに示すように、座標変化検出部１０６ｂ，１０６ｃからの検出結果に基づいて、選択された画像２０１ｃを拡大する（Ｓ７）。ユーザは、基板１０１の変位領域３０２を基準面３０１に戻した状態で、拡大された画像２０１ｃを閲覧することができる。
【００５４】
以上、基板１０１が第１の方向に曲げ変形された場合の制御の流れについて説明した。なお、基板１０１が第２の方向に曲げ変形された場合の制御の流れは、次の通りである。まず、上述したＳ１〜Ｓ５が実行される。その後、基板１０１が第２の方向に曲げ変形されていることにより（Ｓ６でＮＯ）、表示制御部１０８は、図８Ｂに示すように、座標変化検出部１０６ｂ，１０６ｃからの検出結果に基づいて、選択された画像２０１ｃを縮小する（Ｓ８）。表示制御部１０８は、例えば、縮小された画像２０１ｃを表示部１０２の中央部に表示させるとともに、当該画像２０１ｃの周囲に配置された複数の画像２０１をも縮小して表示部１０２に表示させる。ユーザは、基板１０１の変位領域３０２を基準面３０１に戻した状態で、縮小された画像２０１ｃを閲覧することができる。
【００５５】
従って、本実施の形態では、表示制御部１０８は、非変位領域３０４上に存在し且つ基準軸３０３に最も近い画像２０１を選択するので、次のような効果が得られる。ユーザは、基板１０１の曲げ変形を調節することにより、基準軸３０３の位置を任意に設定することができる。これにより、表示部１０２の任意の箇所に表示されている画像２０１を容易に選択することができる。
【００５６】
なお、本実施の形態では、非変位領域３０４上に存在し且つ基準軸３０３に最も近い画像２０１が１つである場合について説明した。非変位領域３０４上に存在し且つ基準軸３０３に最も近い画像２０１が複数存在する場合には、表示制御部１０８は、これら複数の画像２０１を選択する。例えば、図９に示すように、非変位領域３０４上に存在する３つの画像２０１ａ，２０１ｃ，２０１ｅと基準軸３０３との距離がいずれも同じである場合には、表示制御部１０８は、これら３つの画像２０１ａ，２０１ｃ，２０１ｅを選択する。この場合には、表示制御部１０８は、選択された３つの画像２０１ａ，２０１ｃ，２０１ｅを同時に拡大又は縮小させる。
【００５７】
なお、本実施の形態では、表示制御部１０８は、選択された画像２０１を一定の拡大率又は縮小率で拡大又は縮小する。このような構成に代えて、表示制御部１０８は、検出部１０３により検出された基板１０１の変位の程度（即ち、変位の大きさ又は速度）に基づいて、選択された画像の拡大率又は縮小率を決定することができる。
【００５８】
例えば、表示制御部１０８は、座標変化検出部１０６により検出された基板１０１の変位の大きさ（又は変位の速度）が比較的大きい場合には、選択された画像の拡大率を比較的高く（例えば、２００％）決定する。また、表示制御部１０８は、座標変化検出部１０６により検出された基板１０１の変位の大きさ（又は変位の速度）が比較的小さい場合には、選択された画像の拡大率を比較的低く（例えば、１２０％）決定する。
【００５９】
例えば、表示制御部１０８は、座標変化検出部１０６により検出された基板１０１の変位の大きさ（又は変位の速度）が比較的大きい場合には、選択された画像の縮小率を比較的高く（例えば、５０％）決定する。また、表示制御部１０８は、座標変化検出部１０６により検出された基板１０１の変位の大きさ（又は変位の速度）が比較的小さい場合には、選択された画像の縮小率を比較的低く（例えば、８０％）決定する。
【００６０】
なお、本実施の形態では、基板１０１が第１の方向又は第２の方向に曲げ変形されることにより、表示制御部１０８は、選択された画像２０１を拡大又は縮小する。このような構成に加えて、拡大又は縮小された画像２０１を元の大きさに復帰させることもできる。例えば、画像２０１が拡大された状態から、ユーザが基板１０１を第２の方向に曲げ変形させることにより、表示制御部１０８は、当該画像２０１を元の大きさに復帰させる。また、例えば、画像２０１が縮小された状態から、ユーザが基板１０１を第１の方向に曲げ変形させることにより、表示制御部１０８は、当該画像２０１及びその周囲の複数の画像２０１をそれぞれ元の大きさに復帰させる。
【００６１】
（実施の形態２）
図１０は、本発明の実施の形態２に係る画像表示装置を示す平面図である。図１１は、図１０におけるＢ−Ｂ線により切断した画像表示装置を示す断面図である。
【００６２】
本実施の形態の画像表示装置２０では、検出部１０３（曲げ変形検出部１０５及び座標変化検出部１０６）は、表示部１０２の下方に設けられている。具体的には、検出部１０３は、表示部１０２の裏面と基板１０１の表面との間に設けられている。
【００６３】
このような構成によって、基板１０１の外周と表示部１０２の外周との間の領域が比較的狭い場合であっても、検出部１０３を基板１０１の表面に効率良く配置することができる。
【００６４】
（実施の形態２の変形例）
図１２は、本発明の実施の形態２の変形例に係る画像表示装置を示す断面図である。
【００６５】
本変形例の画像表示装置３０では、検出部１０３は、表示部１０２の下方に設けられている。具体的には、検出部１０３は、基板１０１の裏面に設けられている。このような構成であっても、上記実施の形態２と同様の効果を得ることができる。
【００６６】
（実施の形態３）
図１３は、本発明の実施の形態３に係る画像表示装置を示す平面図である。図１４は、図１３におけるＣ−Ｃ線により切断した画像表示装置を示す断面図である。
【００６７】
本実施の形態の画像表示装置４０では、検出部１０３（曲げ変形検出部１０５及び座標変化検出部１０６）は、表示部１０２の上方に設けられている。具体的には、検出部１０３は、表示部１０２の表面に設けられている。検出部１０３は、光透過性を有する材料で構成されている。これにより、ユーザは、表示部１０２に表示された画像を、検出部１０３を通して視認することができる。
【００６８】
このような構成によって、上記実施の形態２と同様に、基板１０１の外周と表示部１０２の外周との間の領域が比較的狭い場合であっても、検出部１０３を表示部１０２の表面に効率良く配置することができる。
【００６９】
（実施の形態４）
図１５は、本発明の実施の形態４に係る画像表示装置を模式的に示す側面図である。本実施の形態では、演算処理部１０７（図４参照）は、基準面３０１と基板１０１の変位領域３０２との境界線を示す基準軸３０３を算出する。
【００７０】
次に、演算処理部１０７による基準軸３０３の算出方法について説明する。まず、図１５に示すように、基板１０１が曲げ変形されることにより、基板１０１の一部が基準面３０１に対して第１の方向に変位する。演算処理部１０７は、基板１０１の４つの辺の各々に対応する複数の曲げ変形検出部１０５のうち、検出された基板１０１の曲げ変形の大きさが閾値よりも大きく、且つ、基準面３０１に最も近い曲げ変形検出部１０５を選択する。例えば、図１５に示すように、基板１０１の一辺に対応して、６つの曲げ変形検出部１０５ａ〜１０５ｆが設けられている場合について説明する。中央の３つの曲げ変形検出部１０５ｃ〜１０５ｅにより検出された基板１０１の曲げ変形の大きさがそれぞれ閾値よりも大きい場合において、曲げ変形検出部１０５ｃが基準面３０１に最も近いときには、演算処理部１０７は、当該曲げ変形検出部１０５ｃを選択する。その後、演算処理部１０７は、基板１０１の２つの辺の各々について選択した２つの曲げ変形検出部１０５を通る直線を、基準軸３０３として算出する。
【００７１】
以上、本発明の一つ又は複数の態様に係る画像表示装置について、実施の形態に基づいて説明したが、本発明は、この実施の形態に限定されるものではない。本発明の趣旨を逸脱しない限り、当業者が思い付く各種変形を本実施の形態に施したものや、異なる実施の形態における構成要素を組み合わせて構築される形態も、本発明の一つまたは複数の態様の範囲内に含まれてもよい。
【００７２】
上記実施の形態１〜４では、曲げ変形検出部をひずみゲージで構成したが、これに限られず、例えば、曲げ変形検出部を圧電素子、加速度センサ及びジャイロセンサ等で構成することができる。
【００７３】
上記実施の形態１〜４では、座標変化検出部を加速度センサで構成したが、これに限られず、例えば、座標変化検出部をジャイロセンサ等で構成することができる。
【００７４】
上記実施の形態１〜４では、表示制御部は、選択された画像を拡大又は縮小したが、選択された画像をコピーしてもよい。この場合、コピーされた画像は、表示部の所定箇所に表示される。或いは、選択された画像がフォルダである場合には、表示制御部は、選択されたフォルダを展開してもよい。
【００７５】
上記実施の形態１〜４では、表示部に複数の画像が表示されている場合について説明したが、表示部に１つの画像が表示されている場合であっても、上述と同様の制御を行うことができる。
【００７６】
上記実施の形態１〜４では、ユーザが基板を第１の方向に曲げ変形させた場合に、表示制御部は、選択された画像を拡大し、ユーザが基板を第２の方向に曲げ変形させた場合に、表示制御部は、選択された画像を縮小した。これとは反対に、ユーザが基板を第２の方向に曲げ変形させた場合に、表示制御部は、選択された画像を拡大し、ユーザが基板を第１の方向に曲げ変形させた場合に、表示制御部は、選択された画像を縮小してもよい。
【００７７】
上記実施の形態１〜４では、基板の非変位領域が基準面に一致する場合について説明したが、基板の非変位領域は基準面に完全に一致していなくてもよい。この場合には、基板の非変位領域は、基準面に対して幾分変位される。演算処理部は、座標変化検出部により検出された基板の変位の大きさが比較的大きい領域を変位領域として算出し、座標変化検出部により検出された基板の変位の大きさが比較的小さい領域を非変位領域として算出する。
【００７８】
上記実施の形態１〜４では、曲げ変形検出部１０５を表示部１０２に対して周縁に設ける構成としたが、これに限られず、例えば、表示部１０２の下方であって、上記周縁の内側に設ける構成にすることもできる。
【００７９】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【産業上の利用可能性】
【００８０】
本発明は、画像を表示する画像表示装置を提供するものであり、例えば、電子ペーパー及び有機ＥＬディスプレイ等のフレキシブルディスプレイに対して有用である。
【符号の説明】
【００８１】
１０，２０，３０，４０  画像表示装置
１０１  基板
１０２  表示部
１０３  検出部
１０４  制御部
１０５，１０５ａ，１０５ｂ，１０５ｃ，１０５ｄ，１０５ｅ  曲げ変形検出部
１０５’  抵抗変化検出部
１０６，１０６ａ，１０６ｂ，１０６ｃ，１０６ｄ  座標変化検出部
１０７  演算処理部
１０８  表示制御部
２０１，２０１ａ，２０１ｂ，２０１ｃ，２０１ｄ，２０１ｅ，２０１ｆ  画像
３０１  基準面
３０２  変位領域
３０３  基準軸
３０４  非変位領域
Ｐ１，Ｐ２  曲げ変形点
【図１】
2013242437.tif 000003
【図２】
2013242437.tif 000004
【図３】
2013242437.tif 000005
【図４】
2013242437.tif 000006
【図５】
2013242437.tif 000007
【図６】
2013242437.tif 000008
【図７Ａ】
2013242437.tif 000009
【図７Ｂ】
2013242437.tif 000010
【図７Ｃ】
2013242437.tif 000011
【図８Ａ】
2013242437.tif 000012
【図８Ｂ】
2013242437.tif 000013
【図９】
2013242437.tif 000014
【図１０】
2013242437.tif 000015
【図１１】
2013242437.tif 000016
【図１２】
2013242437.tif 000017
【図１３】
2013242437.tif 000018
【図１４】
2013242437.tif 000019
【図１５】
2013242437.tif 000020